(57)【要約】【課題】壁パネルの表側、裏側のどちら側にも壁パネル取付用の金物類を露出させることなく、壁パネルを容易に確実、かつ精度良く、しかも高耐剪断力で建物の躯体側のコンクリートに取り付けることができる取付構造及び取付方法を提供すること。【解決手段】建物への壁パネル１の取付構造であって、壁パネル１の小口１ａから壁パネル１の面内方向に向かって設けられた長孔部２に棒状部材４が挿入されており、棒状部材４の壁パネル１に挿入されていない側の端部４ａは、プレート状部材６の凹部あるいは貫通穴に挿入され、プレート状部材６の壁パネル１とは反対側の端面と躯体コンクリート３の表面とを接着剤５で接着固定することを特徴とする。【選択図】図１
2008196197.tif 000002
【特許請求の範囲】
【請求項１】
建物への壁パネルの取付構造であって、
前記壁パネルの小口から前記壁パネルの面内方向に向かって設けられた長孔部に棒状部材が挿入され、
前記棒状部材の前記壁パネルに挿入されていない側の端部と躯体コンクリートの表面とを接着剤で接着固定することを特徴とする、壁パネルの取付構造。
【請求項２】
前記棒状部材の前記壁パネルに挿入されていない側の端部に平面形状部を有することを特徴とする、請求項１に記載の壁パネルの取付構造。
【請求項３】
前記壁パネルと前記躯体コンクリートとの間で前記棒状部材に溶接固定されるパネル支持部材によって、前記壁パネルの前記躯体コンクリート側への動きが拘束されることを特徴とする、請求項１に記載の壁パネルの取付構造。
【請求項４】
前記壁パネルと前記躯体コンクリートとの間で前記棒状部材と螺合するパネル支持部材によって、前記壁パネルの前記躯体コンクリート側への動きが拘束されることを特徴とする、請求項１に記載の壁パネルの取付構造。
【請求項５】
前記壁パネルと前記躯体コンクリートとの間に、モルタル層、コンクリート層の少なくとも一層を有することを特徴とする、請求項１乃至４のいずれかに記載の壁パネルの取付構造。
【請求項６】
壁パネルの取付方法であって、
前記壁パネルの小口から前記壁パネルの面内方向に向かって設けられた長孔部に棒状部材が挿入される段階と、
前記棒状部材の前記壁パネルに挿入されていない側の端部が躯体コンクリートに当接する段階と、
前記棒状部材と螺合しまたは溶接固定されるパネル支持部材によって前記壁パネルが躯体から任意の離れ位置に設置される段階と、
前記棒状部材が前記躯体コンクリートに接着剤で固定される段階と、
を有することを特徴とする、壁パネルの取付方法。
【発明の詳細な説明】
【技術分野】
【０００１】
本技術は主にＲＣ造、ＳＲＣ造の建物の梁、柱、スラブ、壁等、躯体側のコンクリート部分への壁パネルの取付構造及び取付方法に関する。本発明はＰＣ板、ＡＬＣ板、押出成形板等、コンクリート系の壁パネルに好適に適用できる。
【背景技術】
【０００２】
躯体コンクリートに壁パネルを取り付ける一般的な例を図３を用いて説明する。図３は、従来例に係る壁パネルの下部と躯体との接続部を示す図であり、（ａ）が断面図で（ｂ）が内観図である。本例では、壁パネルとしてＡＬＣの壁パネルを用いた例を説明する。
【０００３】
図３に示すように、躯体コンクリート１４には、下地アングル１６を取り付けるための埋込プレート１５が設けられる。下地アングル１６は、埋込プレート１５に溶接接合されることにより躯体コンクリート１４に固定される。壁パネル１３は、ボルト１７、アンカー鋼棒１８及びイナヅマ金物１９より構成される取付ファスナーにより、下地アングル１６に取付固定される。
【０００４】
躯体コンクリートにＡＬＣ壁パネルを取り付ける場合、一般的な工法として図３に示すような工法が挙げられる。この工法では、まず、躯体コンクリートに取り付けられた埋込プレート１５に、下地アングル１６を溶接等により溶着固定する。そして、壁パネル１３をボルト１７、アンカー鋼棒１８、イナヅマ金物１９等の取付ファスナーを用いて、下地アングル１６に取り付ける。なお、図３において、２０はライナーであり、２１はシーリング材である。
【０００５】
上記の技術と同様の技術は、非特許文献１にも掲載されている。また、躯体コンクリートに壁パネルを取り付ける際に高さを調整できる技術がある（例えば、特許文献１を参照）。また、風圧力が作用しない間仕切壁パネルを躯体コンクリートに取付金物を露出させずに取り付ける技術もある（例えば、特許文献２を参照）。
【０００６】
【非特許文献１】日本建築学会、「建築工事標準仕様書・同解説 ＪＡＳＳ２１ ＡＬＣパネル工事2005」４２頁「解説図３．３  鉄筋コンクリート造におけるロッキング構法の取付け例」
【特許文献１】特開平１０−２０４７
【特許文献２】特開２００５−４８４９２
【発明の開示】
【発明が解決しようとする課題】
【０００７】
建物の躯体コンクリートに壁パネルを取り付ける場合、一般的には図３や非特許文献１のように、壁パネルを取り付けるための下地アングル、取付ファスナー等の金物類がパネルの表側あるいは裏側のどちらかに露出する。このため、金物類が仕上げ工事の障害となる場合があり、仕上げ表面からなお金物類が突出して見栄えが悪い場合もある。
【０００８】
また、前記壁パネルから金物類が突出していると、身体の一部を引っかけて怪我をする恐れがあるため、さらなる安全性の向上も求められている。
【０００９】
本発明の第１の目的は、壁パネルの表側、裏側のどちら側にも壁パネル取付用の金物類を露出させないことである。
【００１０】
次に、特許文献１の技術は高さの調整寸法の単位がライナー２０の厚さに依存するため、高さの微調整がしづらい、あるいは、基礎またはスラブ上にパネルを載置した後に再度高さ調整をする必要がある場合、いちいちパネルを棒状部材から取り外した後に棒状部材に所望厚さのライナーを挿通させなくてはならず、作業が煩雑になるという問題があった。
【００１１】
本発明の第２の目的は、壁パネルの高さ（躯体コンクリートからの離れ寸法）を容易に精度良く調整することである。
【００１２】
さらに、特許文献２では、コンクリート釘を打ち込んだ際、コンクリート部にクラック、欠け等の欠陥が発生しやすいためコンクリート釘の長手方向に直交する方向の力に対する信頼性が低い、コンクリート釘に繰り返し剪断荷重がかかった場合の金属疲労破壊に対する信頼性が不明、コンクリート釘自体の剪断耐力が小さい、等の理由により、このままでは風圧力が作用する外壁パネルには使用し難いという問題があった。また、この技術は躯体コンクリートからの壁パネルの高さの調整が殆どできないという問題もあった。
【００１３】
本発明の第３の目的は、外壁のように風圧力等の大きな水平力が作用する部位にも使用可能な高耐剪断力の取付構造を提供することである。
【００１４】
つまり、本発明の目的は、壁パネルの表側、裏側のどちら側にも壁パネル取付用の金物類を露出させることなく、壁パネルを容易に確実、かつ精度良く、しかも高耐剪断力で建物の躯体側のコンクリートに取り付けることができる取付構造及び取付方法を提供することである。
【課題を解決するための手段】
【００１５】
前記目的を達成するための手段として、本発明は次の構成及び方法を有する。
【００１６】
（１）
建物への壁パネルの取付構造であって、前記壁パネルの小口から前記壁パネルの面内方向に向かって設けられた長孔部に棒状部材が挿入され、前記棒状部材の前記壁パネルに挿入されていない側の端部と躯体コンクリートの表面とを接着剤で接着固定することを特徴とする、壁パネルの取付構造。
【００１７】
（２）
前記棒状部材の前記壁パネルに挿入されていない側の端部に平面形状部を有することを特徴とする、（１）に記載の壁パネルの取付構造。
【００１８】
（３）
前記壁パネルと前記躯体コンクリートとの間で前記棒状部材に溶接固定されるパネル支持部材によって、前記壁パネルの前記躯体コンクリート側への動きが拘束されることを特徴とする、（１）に記載の壁パネルの取付構造。
【００１９】
（４）
前記壁パネルと前記躯体コンクリートとの間で前記棒状部材と螺合するパネル支持部材によって、前記壁パネルの前記躯体コンクリート側への動きが拘束されることを特徴とする、（１）に記載の壁パネルの取付構造。
【００２０】
（５）
前記壁パネルと前記躯体コンクリートとの間に、モルタル層、コンクリート層の少なくとも一層を有することを特徴とする、（１）乃至（４）のいずれかに記載の壁パネルの取付構造。
【００２１】
（６）
壁パネルの取付方法であって、前記壁パネルの小口から前記壁パネルの面内方向に向かって設けられた長孔部に棒状部材が挿入される段階と、前記棒状部材の前記壁パネルに挿入されていない側の端部が躯体コンクリートに当接する段階と、前記棒状部材と螺合しまたは溶接固定されるパネル支持部材によって前記壁パネルが躯体から任意の離れ位置に設置される段階と、前記棒状部材が前記躯体コンクリートに接着剤で固定される段階と、を有することを特徴とする、壁パネルの取付方法。
【発明の効果】
【００２２】
上記構成および方法により、壁パネルの表側、裏側のどちら側にも壁パネル取付用の金物類を露出させない。このため、外観及び内観においていずれも、壁パネルの意匠性を向上させることができる。また、壁パネルの高さ（躯体コンクリートからの離れ寸法）を自在に容易に精度良く調整することができる。更に、外壁のように風圧力等の大きな水平力が作用する部位にも好適である。したがって、壁パネルの表側、裏側のどちら側にも壁パネル取付用の金物類を露出させることなく、壁パネルを容易に確実、かつ精度良く、しかも高耐剪断力で建物の躯体側のコンクリートに取り付けることができる。
【発明を実施するための最良の形態】
【００２３】
図を用いて本発明の一実施形態を具体的に説明する。図１は躯体コンクリートへの壁パネル取付構造の骨子を示す断面図である。なお、壁パネルの取付部の構造として、以下の説明においては壁パネルの下部構造のみを例示して説明する。図示しないが、壁パネルの側部や上部のうちの１箇所以上に、壁パネルの面外方向の力に対する何らかの拘束手段を設けることとする。また、本実施形態の取付構造を壁パネルの側面に適用した場合には、もう一方の側部、上部、下部のうちの１箇所以上に、壁パネルの面外方向の力に対する何らかの拘束手段を設けることとする。
【００２４】
図１（ａ）に示すように、本実施形態の壁パネルの取付構造においては、壁パネル１の小口１ａから壁パネル１の面内方向に向かって設けられた長孔部２に棒状部材４が挿入されている。
【００２５】
このように構成することで、壁パネル１の表側、裏側のどちら側にも壁パネルの取付用の金物類を一切露出させることなく、壁パネルを容易に確実、かつ精度良くしかも高耐力で建物の躯体側のコンクリートに取り付けることが可能となり、見栄えの良い、すっきりとした納まりにすることができる。
【００２６】
また、図１（ａ）に示すように、棒状部材４の壁パネル１に挿入されていない側の端部４ａをプレート状部材６の凹部あるいは貫通穴部に挿入する。ここで、プレート状部材６に凹部を形成する場合は、例えば平プレートに市販の平ワッシャー、あるいは六角ナットのように穴部を有する金物を溶接固定することで簡単に形成することができる。なお、必ずしも凹部である必要であることはなく、プレート状部材６には、棒状部材４が挿入される貫通穴部を有するとしてもよい。
【００２７】
プレート状部材６の壁パネル１と反対側の端面と躯体コンクリート３の表面との間には接着剤５が配される。これにより、プレート状部材６の下部の平面と躯体コンクリート３とは接着剤５で接着固定される。尚、本実施形態においては、平面形状部としてプレート状部材６の下部の平面としたが、これに限るものではなく、プレート状部材６を配置しない場合は、棒状部材４の下端の平面としてもよい。また、接着剤５としては硬化後、必要な強度を発揮する不定形のものであれば何でもよい。接着剤５としては、例えばエポキシ樹脂系の接着剤等がある。
【００２８】
このように構成することで、プレート状部材６は躯体コンクリート３の表面の任意位置へ接着固定することができる。すると、躯体コンクリート３側に壁パネル１を取り付ける金物類を固定するための埋込プレート１５等の受け金物を必要としない。したがって、部材点数を省略することができ、経済的である。
【００２９】
また、図１（ａ）に示すように、棒状部材４は雄螺子を有し、プレート状部材６の凹部あるいは貫通穴部は雌螺子を有する。これにより、棒状部材４とプレート状部材６が螺合する。この場合、棒状部材４とプレート状部材６とは一体化する。このように構成することで、棒状部材４がプレート状部材６から抜けることがなくなる。さらに、躯体コンクリート３側に埋込プレート１５等の受け金物を事前に設ける従来の構法では、受け金物位置と壁パネル位置が大きくずれた場合、誤差吸収が困難な場合が多い。これに対して、本実施形態では、受け金物を使用しないため、そのような心配はなくなる。
【００３０】
また、図１（ｂ）に示すように、本実施形態においては、壁パネル１と躯体コンクリート３側との間に棒状部材４が挿通する壁パネルの厚さ内に納まる形状のパネル支持部材７を設け、パネル支持部材７を、壁パネル１に当接させて位置を決めた後に棒状部材４に溶接等で溶接固定すると、パネル支持部材７によって壁パネル１の躯体コンクリート３側への動きを容易に拘束することができる。
【００３１】
また、壁パネル１と躯体コンクリート３間に棒状部材４には、パネル支持部材７が挿通される。そして、棒状部材４が雄螺子を有し、パネル支持部材７の挿通穴部７ａは雌螺子を有し、棒状部材４とパネル支持部材７は螺合している。そして、壁パネル１がパネル支持部材７に当接することで、壁パネル１の躯体コンクリート３側への動きが拘束される。また、パネル支持部材７を回転させることで、棒状部材４に沿ってパネル支持部材７が上下に移動する。このため、パネル支持部材７の躯体コンクリート３からの高さを精度よく調整することができる。
【００３２】
このように、パネル支持部材７を有し、パネル支持部材７の上に壁パネル１を載置するように構成すると、壁パネル１の躯体コンクリート３側への動きを容易に拘束することができる。
【００３３】
また、図１（ｃ）に示すように、壁パネル１と躯体コンクリート３とのクリアランスが大きい場合、壁パネル１と躯体コンクリート３との間に、モルタル層またはコンクリート層８を形成する。モルタル層またはコンクリート層８は、躯体コンクリート３に当接固着し、棒状部材４の支持力を高め、棒状部材４のぐらつきを防止することができる。
【００３４】
なお、本実施形態の取付部は壁パネルの下部のみには限らず、上部、水平部等のあらゆる方向が考えられる。つまり、壁パネルと躯体コンクリートが図１のごとく対峙した関係にあれば、建物内の全ての方向について取り付けが可能である。
【００３５】
また、壁パネル１が風圧力、地震力等、大きな水平荷重に対して耐えうる性能を要求される場合は、取付構造の数を増やすことで、壁パネル表面の見栄えを変えずに大きな水平荷重に対しても耐えることが可能となる。
【００３６】
次に、壁パネルの取り付けについて説明する。図２は壁パネルを躯体コンクリートへ取り付けた状態図であり、（ａ）が断面図で（ｂ）が内観図である。
【００３７】
壁パネル１を躯体コンクリート３に取り付ける際には、まず、壁パネル１の小口１ａから壁パネル１の面内方向に向かって設けられた長孔部２に、棒状部材４の壁パネル１側の一端を挿入する。これにより、棒状部材４の移動方向が壁パネル１の面内方向（本実施形態においては上下方向）に規制される。
【００３８】
次に、棒状部材４にパネル支持部材７を挿通螺合させ、さらに棒状部材４の壁パネル１に挿入されていない側の端部４ａを、プレート状部材６の凹部あるいは貫通穴部に挿入して螺合させる。これにより、棒状部材４はパネル支持部材７およびプレート状部材６に対して固定される。
【００３９】
次に、壁パネル１にパネル支持部材７を当接させた状態で、雄螺子を有する棒状部材４あるいはパネル支持部材７を回転させる。そして、棒状部材４の壁パネル１に挿入されていない側の端部にあるプレート状部材６を躯体コンクリート３の表面に当接させる。パネル支持部材としてナットを用いることもできる。この場合、ナットからパネルに大きな応力がかかることが予想される場合には、パネル１とナットの間に板状部材を設けることが好ましい。上部の面積がナットよりも大きな面積をもつ板状部材を設けると、板状部材がナットからパネルにかかる応力を分散させるため、より耐久力のある構造とすることができる。
【００４０】
次に、躯体コンクリート３の表面あるいはプレート状部材６の壁パネル１と反対側の表面に接着剤５を塗布し、プレート状部材６を回転させて、躯体コンクリート３にプレート状部材６を接着剤５を介して当接させる。すると、接着剤５によってプレート状部材６と躯体コンクリート３とが接着固定される。
【００４１】
ここで、壁パネル１と躯体コンクリート３側とのクリアランスが大きな場合には、壁パネル１と躯体コンクリート３との間に躯体コンクリート３に当接固着するモルタル層またはコンクリート層８を形成する。尚、当接固着するのは、モルタル層及びコンクリート層の双方でもよい。
【００４２】
なお、地震時の層間変形等で壁パネル１が躯体コンクリート３に対して、棒状部材４が躯体コンクリート３と当接する側の端部を中心に回転する動きが想定される場合には、図２のごとく、壁パネル１と躯体コンクリート３との間に空間を設けて該空間部には変形に対して追従性の高い材料、例えばシーリング材９を充填すればよい。また、壁パネル１の上部がスライドできるなど、壁パネル１が殆ど回転しないことが想定される場合には、壁パネル１と躯体コンクリート３との間に隙間無くモルタル、又はコンクリートを充填してもよい。
【産業上の利用可能性】
【００４３】
本発明はＲＣ造、ＳＲＣ造以外のコンクリート躯体、例えばＳ造の建物のスラブコンクリート部分にも応用することができる。
【図面の簡単な説明】
【００４４】
【図１】躯体コンクリートへの壁パネル取付構造の骨子を示す断面図。
【図２】壁パネルを躯体コンクリートへ取り付けた状態図。
【図３】従来例に係る壁パネルの下部と躯体との接続部を示す図。
【符号の説明】
【００４５】
１…壁パネル、１ａ…小口、２…長孔部、３…躯体コンクリート、４…棒状部材、４ａ…端部、５…接着剤、６…プレート状部材、７…パネル支持部材、７ａ…挿通穴部、８…モルタル層またはコンクリート層、９…シーリング材、１３…壁パネル、１４…躯体コンクリート、１５…埋込プレート、１６…下地アングル、１７…ボルト、１８…アンカー鋼棒、１９…イナヅマ金物、２０…ライナー、２１…シーリング材
【図１】
2008196197.tif 000003
【図２】
2008196197.tif 000004
【図３】
2008196197.tif 000005